(57)【要約】  本発明に係るネットワーク装置は、ユーザ端末が接続したセルから前記ユーザ端末への下りリンク信号のチャネル状態に対応するチャネル状態情報を前記ユーザ端末から受信する受信部と、前記チャネル状態情報の送信頻度を決定する制御部と、前記制御部によって決定された前記送信頻度を示す頻度情報を前記ユーザ端末に送信する送信部と、を備え、前記制御部は、前記ユーザ端末の移動が制限された固定ユーザ端末であることを示す固定情報に基づいて、前記ユーザ端末の前記送信頻度を決定する。
2015046266.tif 000002
【特許請求の範囲】
【請求項１】
移動通信システムにおけるネットワーク装置であって、
ユーザ端末が接続したセルから前記ユーザ端末への下りリンク信号のチャネル状態に対応するチャネル状態情報を前記ユーザ端末から受信する受信部と、
前記チャネル状態情報の送信頻度を決定する制御部と、
前記制御部によって決定された前記送信頻度を示す頻度情報を前記ユーザ端末に送信する送信部と、を備え、
前記制御部は、前記ユーザ端末の移動が制限された固定ユーザ端末であることを示す固定情報に基づいて、前記ユーザ端末の前記送信頻度を決定することを特徴とするネットワーク装置。
【請求項２】
前記送信部は、前記制御部が前記送信頻度を決定する前に、前記ユーザ端末の能力を示す能力情報の問い合わせを前記ユーザ端末に送信し、
前記受信部は、前記固定情報を含み前記問い合わせに応じて送信される前記能力情報を、前記ユーザ端末から受信することを特徴とする請求項１に記載のネットワーク装置。
【請求項３】
前記受信部は、前記チャネル状態情報とともに、前記固定情報を受信することを特徴とする請求項１に記載のネットワーク装置。
【請求項４】
前記制御部は、前記固定情報に基づいて、前記ユーザ端末の前記送信頻度を、前記ユーザ端末が前記固定ユーザ端末でない場合における前記チャネル状態情報の通常の送信頻度よりも少ない送信頻度に決定することを特徴とする請求項１に記載のネットワーク装置。
【請求項５】
前記制御部は、前記セル内における前記固定ユーザ端末以外のユーザ端末の数に対する前記セル内における前記固定ユーザ端末の数の比率が閾値を超えた場合、前記ユーザ端末の前記送信頻度を前記通常の送信頻度よりも少ない送信頻度に決定することを特徴とする請求項４に記載のネットワーク装置。
【請求項６】
前記制御部は、前記セルにおけるハンドオーバの数が閾値以下である場合、前記ユーザ端末の前記送信頻度を前記通常の送信頻度よりも少ない送信頻度に決定することを特徴とする請求項５に記載のネットワーク装置。
【請求項７】
前記チャネル状態情報は、下りリンク信号のチャネル状態の受信品質を示すチャネル品質情報、送信指向性を定めるプリコーダ行列を示すプリコーダ行列情報、信号系列数を定めるランクを示すランク情報、前記ユーザ端末と異なる他のユーザ端末への下りリンク・マルチアンテナ伝送に適用されるプリコーダ行列を決定するために使用され、且つ、前記ユーザ端末にヌル又はビームが向くプリコーダ行列である特殊なプリコーダ行列の少なくともいずれかを示す情報を含むことを特徴とする請求項１に記載のネットワーク装置。
【請求項８】
前記固定ユーザ端末であるユーザ端末を示す識別子と前記固定ユーザ端末からの前記チャネル状態情報とが関連付いたテーブルを記憶する記憶部とをさらに備え、
前記記憶部は、受信した前記チャネル状態情報に基づいて、前記テーブルを更新することを特徴とする請求項１に記載のネットワーク装置。
【請求項９】
前記ネットワーク装置は、前記セルを管理する基地局であり、
前記制御部は、前記基地局と前記基地局に隣接する隣接基地局とが協調して前記ユーザ端末との通信を行うＣｏＭＰ通信を行う場合、前記テーブルに基づいて、前記ＣｏＭＰ通信のためのスケジューリングを行うことを特徴とする請求項８に記載のネットワーク装置。
【請求項１０】
前記制御部は、前記スケジューリングを行う前に、前記テーブルを前記隣接基地局に転送する制御を行うことを特徴とする請求項９に記載のネットワーク装置。
【請求項１１】
前記ネットワーク装置は、前記セルを管理し、複数のアンテナ素子を有する基地局であり、
前記制御部は、前記複数のアンテナ間における振幅及び位相シフトのばらつきを補正するキャリブレーションのための相手として、前記固定ユーザ端末である前記ユーザ端末を選択し、
前記受信部は、前記相手である前記ユーザ端末から、前記キャリブレーションに用いられる測定報告を前記チャネル状態情報として受信し、
前記制御部は、前記測定報告に基づいて、前記キャリブレーションを行うことを特徴とする請求項１に記載のネットワーク装置。
【請求項１２】
移動通信システムにおけるユーザ端末であって、
前記ユーザ端末が接続するセルから前記ユーザ端末への下りリンク信号のチャネル状態に対応するチャネル状態情報を前記セルに送信する送信部と、
前記チャネル状態情報の送信頻度を示す頻度情報を受信する受信部と、
前記頻度情報に基づいて、前記送信頻度を設定する制御部と、を備え、
前記制御部は、前記ユーザ端末の移動状態に応じて、前記頻度情報で示された前記送信頻度に反して、異なる送信頻度を設定することを特徴とするユーザ端末。
【請求項１３】
前記制御部は、前記ユーザ端末が静止していると判定した場合、前記異なる送信頻度として、前記頻度情報で示された前記送信頻度よりも少ない送信頻度を設定することを特徴とする請求項１２に記載のユーザ端末。
【請求項１４】
前記制御部は、下りリンクのチャネル品質を周期的又は非周期的に測定する制御を行い、
前記制御部は、新たに測定した第１のチャネル品質と、前記第１のチャネル品質の前に測定した第２のチャネル品質との差が閾値以下である場合、前記ユーザ端末が静止していると判定することを特徴とする請求項１３に記載のユーザ端末。
【請求項１５】
前記送信部は、前記ユーザ端末が静止していると判定した場合、前記チャネル状態情報とともに、前記異なる送信頻度を設定した理由として、前記ユーザ端末の移動が制限された固定ユーザ端末であることを示す固定情報を前記セルに送信することを特徴とする請求項１３に記載のユーザ端末。
【請求項１６】
前記制御部は、前記ユーザ端末が所定の範囲の速度で移動していると判定した場合、前記異なる送信頻度として、前記頻度情報で示された前記送信頻度よりも多い送信頻度を設定することを特徴とする請求項１２に記載のユーザ端末。
【請求項１７】
前記制御部は、前記ユーザ端末が前記所定の範囲の速度を超えた速度で移動していると判定した場合、前記異なる送信頻度として、前記頻度情報で示された前記送信頻度よりも少ない送信頻度を設定することを特徴とする請求項１６に記載のユーザ端末。
【請求項１８】
前記送信部は、前記ユーザ端末が前記所定の範囲の速度又は前記所定の範囲の速度を超えた速度で移動していると判定した場合、前記ユーザ端末の能力を示す能力情報、前記チャネル状態情報、及び、前記頻度情報を含む設定情報への応答の少なくともいずれかとともに、前記異なる送信頻度を設定した理由として、前記ユーザ端末が前記所定の範囲の速度又は前記所定の範囲の速度を超えた速度以上で移動していることを示す情報を送信することを特徴とする請求項１７に記載のユーザ端末。
【請求項１９】
移動通信システムにおけるユーザ端末であって、
下りリンク信号のチャネル状態に対応するチャネル状態情報の送信頻度を設定する制御部を備え、
前記制御部は、前記ユーザ端末の固定状態に応じた前記送信頻度を設定することを特徴とするユーザ端末。
【請求項２０】
前記ユーザ端末の固定状態に応じた前記送信頻度は、ネットワーク装置が前記ユーザ端末の固定状態を示す固定情報に基づいて決定した送信頻度であることを特徴とする請求項１９に記載のユーザ端末。
【発明の詳細な説明】
【技術分野】
【０００１】
本発明は、移動通信システムにおけるネットワーク装置及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥシステムでは、ユーザ端末が、基地局からの下りリンク信号のチャネル状態に対応するチャネル状態情報（ＣＳＩ：Ｃｈａｎｎｅｌ  Ｓｔａｔｅ  Ｉｎｆｏｍａｔｉｏｎ）を報告する（例えば、非特許文献１参照）。【０００３】
チャネル状態情報は、例えば、下りリンク信号のチャネル状態の受信品質を示すチャネル品質情報（ＣＱＩ）、送信指向性を定めるプリコーダ行列を示すプリコーダ行列情報を示す情報（ＰＭＩ）、信号系列数（レイヤ数）を定めるランクを示すランク情報（ＲＩ）によって構成される。【０００４】
基地局は、ユーザ端末毎に送信されるチャネル状態情報を用いてスケジューリングを行うことにより、ユーザ端末との良好な通信を行うことができる。
【先行技術文献】
【非特許文献】
【０００５】
【非特許文献１】３ＧＰＰ技術仕様  「ＴＳ  ３６．２１３  Ｖ１１．３．０」  （２０１３年６月）
【発明の概要】
【０００６】
しかしながら、基地局は、ユーザ端末毎にチャネル状態情報を周期的に受信する。このため、ユーザ端末の数の増大に伴って、オーバヘッドが増加するという問題があった。
【０００７】
そこで、本発明は、ユーザ端末からのチャネル状態情報の送信に基づくオーバヘッドを削減可能なネットワーク装置及びユーザ端末を提供する。
【０００８】
一実施形態によれば、ネットワーク装置は、移動通信システムにおけるネットワーク装置である。当該ネットワーク装置は、ユーザ端末が接続したセルから前記ユーザ端末への下りリンク信号のチャネル状態に対応するチャネル状態情報を前記ユーザ端末から受信する受信部と、前記チャネル状態情報の送信頻度を決定する制御部と、前記制御部によって決定された前記送信頻度を示す頻度情報を前記ユーザ端末に送信する送信部と、を備え、前記制御部は、前記ユーザ端末の移動が制限された固定ユーザ端末であることを示す固定情報に基づいて、前記ユーザ端末の前記送信頻度を決定する。
【図面の簡単な説明】
【０００９】
【図１】図１は、ＬＴＥシステムの構成図である。
【図２】図２は、ＵＥのブロック図である。
【図３】図３は、ｅＮＢのブロック図である。
【図４】図４は、下りリンク・マルチアンテナ伝送に関連するブロック図である。
【図５】図５は、ＬＴＥシステムにおける無線インターフェイスのプロトコルスタック図である。
【図６】図６は、ＬＴＥシステムで使用される無線フレームの構成図である。
【図７】図７は、第１実施形態に係るチャネル状態情報の報告の動作概要を説明するための図である。
【図８】図８は、第１実施形態に係るＣｏＭＰの動作概要を説明するための説明図である。
【図９】図９は、第１実施形態に係るＣｏＭＰの動作概要を説明するための説明図である。
【図１０】図１０は、第１実施形態に係る動作シーケンス図である。
【発明を実施するための形態】
【００１０】
［実施形態の概要］
第１実施形態に係るネットワーク装置は、移動通信システムにおけるネットワーク装置である。当該ネットワーク装置は、ユーザ端末が接続したセルから前記ユーザ端末への下りリンク信号のチャネル状態に対応するチャネル状態情報を前記ユーザ端末から受信する受信部と、前記チャネル状態情報の送信頻度を決定する制御部と、前記制御部によって決定された前記送信頻度を示す頻度情報を前記ユーザ端末に送信する送信部と、を備え、前記制御部は、前記ユーザ端末の移動が制限された固定ユーザ端末であることを示す固定情報に基づいて、前記ユーザ端末の前記送信頻度を決定する。
【００１１】
第１実施形態に係るネットワーク装置において、前記送信部は、前記制御部が前記送信頻度を決定する前に、前記ユーザ端末の能力を示す能力情報の問い合わせを前記ユーザ端末に送信し、前記受信部は、前記固定情報を含み前記問い合わせに応じて送信される前記能力情報を、前記ユーザ端末から受信する。
【００１２】
その他実施形態に係るネットワーク装置において、前記受信部は、前記チャネル状態情報とともに、前記固定情報を受信する。
【００１３】
第１実施形態に係るネットワーク装置において、前記制御部は、前記固定情報に基づいて、前記ユーザ端末の前記送信頻度を、前記ユーザ端末が前記固定ユーザ端末でない場合における前記チャネル状態情報の通常の送信頻度よりも少ない送信頻度に決定する。
【００１４】
第１実施形態に係るネットワーク装置において、前記制御部は、前記セル内における前記固定ユーザ端末以外のユーザ端末の数に対する前記セル内における前記固定ユーザ端末の数の比率が閾値を超えた場合、前記ユーザ端末の前記送信頻度を前記通常の送信頻度よりも少ない送信頻度に決定する。
【００１５】
第１実施形態に係るネットワーク装置において、前記制御部は、前記セルにおけるハンドオーバの数が閾値以下である場合、前記ユーザ端末の前記送信頻度を前記通常の送信頻度よりも少ない送信頻度に決定する。
【００１６】
実施形態に係るネットワーク装置において、前記チャネル状態情報は、下りリンク信号のチャネル状態の受信品質を示すチャネル品質情報、送信指向性を定めるプリコーダ行列を示すプリコーダ行列情報、信号系列数を定めるランクを示すランク情報、前記ユーザ端末と異なる他のユーザ端末への下りリンク・マルチアンテナ伝送に適用されるプリコーダ行列を決定するために使用され、且つ、前記ユーザ端末にヌル又はビームが向くプリコーダ行列である特殊なプリコーダ行列の少なくともいずれかを示す情報を含む。
【００１７】
第１実施形態に係るネットワーク装置において、前記固定ユーザ端末であるユーザ端末を示す識別子と前記固定ユーザ端末からの前記チャネル状態情報とが関連付いたテーブルを記憶する記憶部とをさらに備え、前記記憶部は、受信した前記チャネル状態情報に基づいて、前記テーブルを更新する。
【００１８】
第１実施形態に係るネットワーク装置において、前記ネットワーク装置は、前記セルを管理する基地局であり、前記制御部は、前記基地局と前記基地局に隣接する隣接基地局とが協調して前記ユーザ端末との通信を行うＣｏＭＰ通信を行う場合、前記テーブルに基づいて、前記ＣｏＭＰ通信のためのスケジューリングを行う。
【００１９】
第１実施形態に係るネットワーク装置において、前記制御部は、前記スケジューリングを行う前に、前記テーブルを前記隣接基地局に転送する制御を行う。
【００２０】
その他実施形態に係るネットワーク装置において、前記ネットワーク装置は、前記セルを管理し、複数のアンテナ素子を有する基地局であり、前記制御部は、前記複数のアンテナ間における振幅及び位相シフトのばらつきを補正するキャリブレーションのための相手として、前記固定ユーザ端末である前記ユーザ端末を選択し、前記受信部は、前記相手である前記ユーザ端末から、前記キャリブレーションに用いられる測定報告を前記チャネル状態情報として受信し、前記制御部は、前記測定報告に基づいて、前記キャリブレーションを行う。
【００２１】
第２実施形態に係るユーザ端末は、移動通信システムにおけるユーザ端末であって、前記ユーザ端末が接続するセルから前記ユーザ端末への下りリンク信号のチャネル状態に対応するチャネル状態情報を前記セルに送信する送信部と、前記チャネル状態情報の送信頻度を示す頻度情報を受信する受信部と、前記頻度情報に基づいて、前記送信頻度を設定する制御部と、を備え、前記制御部は、前記ユーザ端末の移動状態に応じて、前記頻度情報で示された前記送信頻度に反して、異なる送信頻度を設定する。
【００２２】
第２実施形態に係るユーザ端末において、前記制御部は、前記ユーザ端末が静止していると判定した場合、前記異なる送信頻度として、前記頻度情報で示された前記送信頻度よりも少ない送信頻度を設定する。
【００２３】
第２実施形態に係るユーザ端末において前記制御部は、下りリンクのチャネル品質を周期的又は非周期的に測定する制御を行い、前記制御部は、新たに測定した第１のチャネル品質と、前記第１のチャネル品質の前に測定した第２のチャネル品質との差が閾値以下である場合、前記ユーザ端末が静止していると判定する。
【００２４】
第２実施形態に係るユーザ端末において前記送信部は、前記ユーザ端末が静止していると判定した場合、前記チャネル状態情報とともに、前記異なる送信頻度を設定した理由として、前記ユーザ端末の移動が制限された固定ユーザ端末であることを示す固定情報を前記セルに送信する。
【００２５】
第２実施形態に係るユーザ端末において前記制御部は、前記ユーザ端末が所定の範囲の速度で移動していると判定した場合、前記異なる送信頻度として、前記頻度情報で示された前記送信頻度よりも多い送信頻度を設定する。
【００２６】
第２実施形態に係るユーザ端末において前記制御部は、前記ユーザ端末が前記所定の範囲の速度を超えた速度で移動していると判定した場合、前記異なる送信頻度として、前記頻度情報で示された前記送信頻度よりも少ない送信頻度を設定する。
【００２７】
第２実施形態に係るユーザ端末において前記送信部は、前記ユーザ端末が前記所定の範囲の速度又は前記所定の範囲の速度を超えた速度で移動していると判定した場合、前記ユーザ端末の能力を示す能力情報、前記チャネル状態情報、及び、前記頻度情報を含む設定情報への応答の少なくともいずれかとともに、前記異なる送信頻度を設定した理由として、前記ユーザ端末が前記所定の範囲の速度又は前記所定の範囲の速度を超えた速度以上で移動していることを示す情報を送信する。
【００２８】
なお、請求の範囲におけるネットワーク装置は、コアネットワークを形成する装置でもよいし、基地局であってもよい。
【００２９】
［第１実施形態］
以下、図面を参照して、３ＧＰＰ規格に準拠して構成される移動通信システム（ＬＴＥシステム）に本発明を適用する場合の実施形態を説明する。
【００３０】
（ＬＴＥシステム）
図１は、第１実施形態に係るＬＴＥシステムの構成図である。
【００３１】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００３２】
ＵＥ１００は、移動型の無線通信装置であり、接続を確立したセル（サービングセル）との無線通信を行う。ＵＥ１００はユーザ端末に相当する。
【００３３】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを構成しており、セルとの接続を確立したＵＥ１００との無線通信を行う。
【００３４】
なお、「セル」は、無線通信エリアの最小単位を示す用語として使用される他に、ＵＥ１００との無線通信を行う機能を示す用語としても使用される。
【００３５】
ｅＮＢ２００は、例えば、無線リソース管理（ＲＲＭ）機能と、ユーザデータのルーティング機能と、モビリティ制御及びスケジューリングのための測定制御機能と、を有する。
【００３６】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００３７】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３８】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３９】
ＯＡＭ４００は、オペレータによって管理されるサーバ装置であり、Ｅ−ＵＴＲＡＮ１０の保守及び監視を行う。
【００４０】
次に、ＵＥ１００及びｅＮＢ２００の構成を説明する。
【００４１】
図２は、ＵＥ１００のブロック図である。図２に示すように、ＵＥ１００は、複数のアンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０は、記憶部を構成し、プロセッサ１６０は、制御部を構成する。
【００４２】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４３】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４５】
ＧＮＳＳ受信機１３０は、ＵＥ１００の地理的な位置を示す位置情報を得るために、ＧＮＳＳ信号を受信して、受信した信号をプロセッサ１６０に出力する。
【００４６】
バッテリ１４０は、ＵＥ１００の各ブロックに供給すべき電力を蓄える。
【００４７】
メモリ１５０は、プロセッサ１６０によって実行されるプログラムと、プロセッサ１６０による処理に使用される情報と、を記憶する。
【００４８】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４９】
プロセッサ１６０は、無線送受信機１１０が受信する信号（特に、参照信号）に基づいてチャネル状態情報（ＣＳＩ）を生成し、当該チャネル状態情報をサービングセルにフィードバックする。チャネル状態情報は、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）などを含む。
【００５０】
フィードバック対象となる周波数単位（対象周波数帯）としては、「下りリンク全帯域」又は「サブバンド」が規定されており、何れを用いるかはｅＮＢ２００からの指示に応じて定められる。サブバンドは、下りリンク全帯域を分割した周波数単位であり、複数リソースブロック分の帯域幅を有する。フィードバックされる情報（ＰＭＩ、ＲＩ、ＣＱＩなど）の詳細については後述する。
【００５１】
図３は、ｅＮＢ２００のブロック図である。図３に示すように、ｅＮＢ２００は、複数のアンテナ２０１と、無線送受信機２１０と、ネットワークインターフェイス２２０と、メモリ２３０と、プロセッサ２４０と、を有する。メモリ２３０は、記憶部を構成し、プロセッサ２４０は、制御部を構成する。メモリ２３０をプロセッサ２４０と一体化し、このセット（すなわち、チップセット）をプロセッサとしてもよい。
【００５２】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００５３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信と、Ｓ１インターフェイス上で行う通信と、に用いられる。
【００５４】
メモリ２３０は、プロセッサ２４０によって実行されるプログラムと、プロセッサ２４０による処理に使用される情報と、を記憶する。
【００５５】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５６】
プロセッサ２４０は、プリコーダ行列及びランクを適用して下りリンク・マルチアンテナ伝送を行う。図４は、下りリンク・マルチアンテナ伝送に関連するプロセッサ２４０のブロック図である。各ブロックの詳細は例えば３ＧＰＰ  ＴＳ  ３６．２１１に記載されているが、ここではその概要を説明する。
【００５７】
図４に示すように、物理チャネル上で送信すべき１つ又は２つのコードワードは、スクランブルされ、かつ変調シンボルに変調された後、レイヤマッパ２４１によって複数のレイヤにマッピングされる。コードワードは、誤り訂正のデータ単位である。ランク（レイヤ数）は、フィードバックされるＲＩに基づいて定められる。
【００５８】
プリコーダ２４２は、プリコーダ行列を用いて、各レイヤの変調シンボルをプリコーディングする。プリコーダ行列は、フィードバックされるＰＭＩに基づいて定められる。プリコーディングされた変調シンボルは、リソースエレメントにマッピングされ、かつ時間領域のＯＦＤＭ信号に変換されて、各アンテナポートに出力される。
【００５９】
図５は、ＬＴＥシステムにおける無線インターフェイスのプロトコルスタック図である。
【００６０】
図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉum  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００６１】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００６２】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するＭＡＣスケジューラを含む。
【００６３】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６４】
ＰＤＣＰレイヤは、ヘッダ圧縮・伸張、及び暗号化・復号化を行う。
【００６５】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  Ｃｏｎｎｅｃｔｅｄ  Ｓｔａｔｅ）であり、そうでない場合、ＵＥ１００はアイドル状態（ＲＲＣ  Ｉｄｌｅ  Ｓｔａｔｅ）である。
【００６６】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６７】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６８】
複信方式としては、ＦＤＤ（Ｆｒｅｑｕｅｎｃｙ  Ｄｉｖｉｓｉｏｎ  Ｄｕｐｌｅｘ）方式又はＴＤＤ（Ｔｉｍｅ  Ｄｉｖｉｓｉｏｎ  Ｄｕｐｌｅｘ）方式が使用されるが、第１実施形態では主としてＦＤＤ方式を想定する。
【００６９】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００７０】
ＵＥ１００に割り当てられる無線リソースのうち、周波数リソースはリソースブロックにより特定でき、時間リソースはサブフレーム（又はスロット）により特定できる。
【００７１】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）などの参照信号が分散して配置される。
【００７２】
ＰＤＣＣＨは、制御情報を搬送する。制御情報は、例えば、上りリンクＳＩ（Ｓｃｈｅｄｕｌｉｎｇ  Ｉｎｆｏｒｍａｔｉｏｎ）、下りリンクＳＩ、ＴＰＣビットである。上りリンクＳＩは上りリンクの無線リソースの割当てを示す情報であり、下りリンクＳＩは、下りリンクの無線リソースの割当てを示す情報である。ＴＰＣビットは、上りリンクの送信電力の増減を指示する情報である。
【００７３】
ＰＤＳＣＨは、制御情報及び／又はユーザデータを搬送する。例えば、下りリンクのデータ領域は、ユーザデータにのみ割当てられてもよく、ユーザデータ及び制御情報が多重されるように割当てられてもよい。
【００７４】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００７５】
ＰＵＣＣＨは、制御情報を搬送する。制御情報は、例えば、ＣＱＩ、ＰＭＩ、ＲＩ、ＳＲ（Ｓｃｈｅｄｕｌｉｎｇ  Ｒｅｑｕｅｓｔ）、ＡＣＫ／ＮＡＣＫなどである。
【００７６】
ＣＱＩは、下りリンクの受信状態に基づく、下りリンクで用いるのに好ましい変調及び符号化方式（すなわち、推奨ＭＣＳ）を示す。
【００７７】
ＰＭＩは、下りリンクで用いるのに好ましいプリコーダ行列を示す情報である。言い換えると、ＰＭＩは、当該ＰＭＩの送信元のＵＥに対してビームが向くプリコーダ行列を示す情報である。例えば、ＵＥ１００は、自身の受信状態が改善されるように、ｅＮＢ２００にフィードバックするＰＭＩを選択する。
【００７８】
ＲＩは、下りリンクで用いるのに好ましいランクを示す。例えば、ＵＥ１００は、自身の受信状態に相応しいランクが適用されるように、ｅＮＢ２００にフィードバックするＰＭＩを選択する。
【００７９】
ＳＲは、上りリンクの無線リソースの割当てを要求する情報である。
【００８０】
ＡＣＫ／ＮＡＣＫは、下りリンクの物理チャネル（例えば、ＰＤＳＣＨ）を介して送信される信号のデコードに成功したか否かを示す情報である。
【００８１】
ＰＵＳＣＨは、制御情報及び／又はユーザデータを搬送する物理チャネルである。例えば、上りリンクのデータ領域は、ユーザデータにのみ割当てられてもよく、ユーザデータ及び制御情報が多重されるように割当てられてもよい。
【００８２】
（第１実施形態に係る動作概要）
以下、第１実施形態に係る動作概要について、図７から図９を用いて説明する。
【００８３】
まず、図７を用いて、本実施形態に係るチャネル状態情報の報告に関する動作について説明する。図７は、本実施形態に係るチャネル状態情報の報告の動作概要を説明するための図である。
【００８４】
図７に示すように、本実施形態に係る移動通信システムは、固定ＵＥ１００、移動ＵＥ１００及びｅＮＢ２００を有する。
【００８５】
固定ＵＥ１００は、移動が制限されたＵＥ１００である。一例として、固定ＵＥ１００は、位置が固定されたＵＥ１００である。或いは、固定ＵＥ１００は、ＭＴＣ機能を有するＵＥ１００である。一方、移動ＵＥ１００は、移動が制限されていない通常のＵＥ１００である。固定ＵＥ１００及び移動ＵＥ１００は、ｅＮＢ２００が管理するセルと接続を確立する。
【００８６】
固定ＵＥ１００及び移動ＵＥ１００は、セルからの参照信号（ＲＳ）に基づいて、参照信号のチャネル状態に対応するチャネル状態情報を報告する。
【００８７】
本実施形態において、ｅＮＢ２００は、チャネル状態情報（例えば、後述のＢＣ−ＰＭＩ）の送信頻度（フィードバック頻度）を決定する。ｅＮＢ２００は、固定ＵＥ１００であることを示す固定情報に基づいて、ＵＥ１００のチャネル状態情報の送信頻度を決定する。ｅＮＢ２００は、決定した送信頻度を示す頻度情報をＵＥ１００に送信する。例えば、ｅＮＢ２００は、固定情報に基づいて、固定ＵＥ１００からのチャネル状態情報の送信頻度を、移動ＵＥ１００における通常の送信頻度よりも少ない送信頻度に決定する。なお、送信頻度は、送信回数（例えば、１回）又は送信周期を示す。
【００８８】
また、本実施形態において、ｅＮＢ２００は、固定ＵＥ１００であるＵＥ１００を示す識別子とＵＥ１００からのチャネル状態情報とが関連付いた固定ＵＥテーブルを記憶する。ｅＮＢ２００は、固定ＵＥ１００から受信したチャネル状態情報（ＢＣ−ＰＭＩ）に基づいて、固定ＵＥテーブルを更新する。固定ＵＥテーブルに記録されるチャネル状態情報は、例えば、ＢＣ−ＰＭＩであってもよいし、他の情報（例えば、ＣＱＩ、ＰＭＩ、ＲＩなど）が記録されてもよい。
【００８９】
次に、本実施形態に係るＣｏＭＰ通信の動作概要を、図８及び図９を用いて説明する。図８及び図９は、本実施形態に係るＣｏＭＰの動作概要を説明するための説明図である。
【００９０】
図８及び図９において、ｅＮＢ２００−１及びｅＮＢ２００−２は、互いに隣接するセルを構成する。
【００９１】
図８に示すように、ＵＥ１００−１は、ｅＮＢ２００−１のセルとの接続を確立している。すなわち、ＵＥ１００−１は、ｅＮＢ２００−１のセルをサービングセルとして通信を行う。
【００９２】
本実施形態では、ＵＥ１００−１は、固定ＵＥ１００である。また、ＵＥ１００−１は、ｅＮＢ２００−１及びｅＮＢ２００−２のそれぞれのセルの境界領域に位置している。このような場合には、通常、ＵＥ１００−１は、ｅＮＢ２００−２のセルからの干渉の影響を受ける。
【００９３】
一方、ＵＥ１００−２は、ｅＮＢ２００−２のセルとの接続を確立している。すなわち、ＵＥ１００−２は、ｅＮＢ２００−２のセルをサービングセルとして通信を行う。なお、図８ではＵＥ１００−２を１つのみ図示しているが、複数のＵＥ１００−２がｅＮＢ２００−２のセルとの接続を確立していてもよい。
【００９４】
本実施形態において、ｅＮＢ２００−１及びｅＮＢ２００−２は、ｅＮＢ２００−１のセル端に位置するＵＥ１００−１のスループットを改善するために、ＣＢ−ＣｏＭＰを行う。ＣＢ−ＣｏＭＰにおいて、ＵＥ１００−１のサービングセルは「アンカーセル」と称される。
【００９５】
また、ＣＢ−ＣｏＭＰにおいて、主な干渉源となるｅＮＢ２００−２は、ＵＥ１００−１に対して与える干渉の影響を小さくするように送信指向性を調整する。具体的には、ｅＮＢ２００−２は、ＵＥ１００−１にヌルを向けつつ、ＵＥ１００−２にビームを向けて、ＵＥ１００−２への送信を行う。
【００９６】
ＣＢ−ＣｏＭＰの対象となるＵＥ１００−１は、ｅＮＢ２００−１に対する通常のフィードバック（ＰＭＩ、ＲＩ、及びＣＱＩ）に加えて、ｅＮＢ２００−２に対する特殊なフィードバックを行う。第１実施形態では、ＵＥ１００−１は、ｅＮＢ２００−２に対して特殊なＰＭＩをフィードバックする。なお、ＵＥ１００−１は、特殊なＲＩをフィードバックしてもよい。
【００９７】
通常のＰＭＩは、ＵＥ１００−１への下りリンク・マルチアンテナ伝送に適用されるプリコーダ行列を決定するために使用され、かつ、ＵＥ１００−１にとって好ましいプリコーダ行列（ＵＥ１００−１にビームが向くプリコーダ行列）を示す情報である。ＵＥ１００−１は、ｅＮＢ２００−１から受信する参照信号などに基づいて通常のＰＭＩのフィードバックを行う。
【００９８】
これに対し、特殊なＰＭＩは、ＵＥ１００−１以外のＵＥ１００（例えばＵＥ１００−２）への下りリンク・マルチアンテナ伝送に適用されるプリコーダ行列を決定するために使用され、かつ、ＵＥ１００−１にとって好ましいプリコーダ行列（ＵＥ１００−１にヌルが向くプリコーダ行列）を示す情報である。このようなＰＭＩは、ＢＣ（Ｂｅｓｔ  Ｃｏｍｐａｎｉｏｎ）−ＰＭＩと称される。ＵＥ１００−１は、ｅＮＢ２００−２から受信する参照信号などに基づいてＢＣ−ＰＭＩのフィードバックを行う。
【００９９】
例えば、ｅＮＢ２００−２に対するフィードバック情報は、ｅＮＢ２００−２がＵＥ１００−１に対して与える干渉の影響が小さいＢＣ−ＰＭＩ及びＲＩの組み合わせを複数含む。本実施形態において、ＢＣ−ＰＭＩはプリコーダ行列情報に相当し、ＲＩはランク情報に相当する。ＢＣ−ＰＭＩ及びＲＩのフィードバックをサブバンド毎に行う設定の場合には、１つのサブバンドについてのフィードバック情報はＢＣ−ＰＭＩ及びＲＩの組み合わせを複数含む。
【０１００】
例えば、当該干渉の影響が小さい方からｎ個（ｎ≧２）のＢＣ−ＰＭＩを含む組み合わせとしてもよく、当該干渉の影響が閾値未満のＢＣ−ＰＭＩを含む組み合わせとしてもよい。
【０１０１】
なお、ＵＥ１００−１は、ＢＣ−ＰＭＩ及びＲＩの組み合わせを、サービングセル（ｅＮＢ２００−１）経由でｅＮＢ２００−２にフィードバックしてもよく、ｅＮＢ２００−２に直接フィードバックしてもよい。
【０１０２】
例えば、ｅＮＢ２００−２は、ＵＥ１００−１からフィードバックされたＢＣ−ＰＭＩ及びＲＩの組み合わせの何れかと一致するＰＭＩ及びＲＩをフィードバックする自セル内ＵＥ１００（ＵＥ１００−２）に対して、ＵＥ１００−１と同一の無線リソースを割り当てる。ここで、ｅＮＢ２００−２は、ＵＥ１００−１のスケジューリング情報を動的又は準静的にｅＮＢ２００−１と共有していることを前提とする。そして、ｅＮＢ２００−２は、当該一致するＰＭＩ及びＲＩに従ってＵＥ１００−２への送信を行う。
【０１０３】
その結果、図９に示すように、ｅＮＢ２００−２は、ＵＥ１００−１にヌルを向けつつ、ＵＥ１００−２にビームを向けて、ＵＥ１００−２への送信を行うことができる。これにより、ＵＥ１００−１に対する干渉を抑圧できる。
【０１０４】
なお、ｅＮＢ２００−２は、ＵＥ１００−１からフィードバックされたＢＣ−ＰＭＩ及びＲＩの組み合わせの何れかと一致するＰＭＩ及びＲＩをフィードバックする自セル内ＵＥ１００が存在しない場合には、ＵＥ１００−１と同一の無線リソースへの割当を行わない、又は一致していないＰＭＩであっても割当を行う、の２通りの動作が考えられる。
【０１０５】
一方、ｅＮＢ２００−１は、ＵＥ１００−１からフィードバックされた通常のＰＭＩ及びＲＩに従ってＵＥ１００−１への送信を行う。その結果、ｅＮＢ２００−１は、ＵＥ１００−１にビームを向けることができる。
【０１０６】
（第１実施形態に係る動作シーケンス）
次に、第１実施形態に係る動作シーケンスを説明する。図１０は、第１実施形態に係る動作シーケンス図である。
【０１０７】
なお、上述したように本実施形態において、ＵＥ１００−１は、固定ＵＥである。
【０１０８】
図１０に示すように、ステップＳ１０１において、ｅＮＢ２００−１は、ＵＥ１００−１にＵＥ能力情報の問い合わせであるＵＥ能力問い合わせ（ＵＥ  Ｃａｐａｂｉｌｉｔｙ  Ｅｎｑｕｉｒｙ）を送信する。ＵＥ１００−１は、ＵＥ能力問い合わせを受信する。
【０１０９】
ステップＳ１０２において、ＵＥ１００−１は、ＵＥ能力問い合わせに応じてＵＥ能力情報（ＵＥ  Ｃａｐａｂｉｌｉｔｙ  Ｉｎｆｏｒｍａｔｉｏｎ）をｅＮＢ２００−１に送信する。ｅＮＢ２００−１は、ＵＥ能力情報を受信する。
【０１１０】
ＵＥ能力情報は、ＵＥ１００−１が固定ＵＥ１００であることを示す固定情報（Ｆｉｘｅｄ  ＵＥ  Ｆｌａｇ）を含む。本実施形態において、固定ＵＥフラグがオンであることにより、ＵＥ１００−１が固定ＵＥ１００であることを示す。なお、固定情報は、ＵＥ１００−１がＭＴＣ機能を有することを示す情報、ＵＥ１００−１が給電状態（ＤＣ給状態電又はＡＣ給電状態）であることを示す情報などであってもよい。
【０１１１】
ｅＮＢ２００−１は、ＵＥ能力情報によって、ＵＥ１００−１が固定ＵＥ１００であると判定する。
【０１１２】
ステップＳ１０３において、ｅＮＢ２００−１は、ＢＣ−ＰＭＩの報告を設定するためのＢＣ−ＰＭＩ報告設定（ＢＣ−ＰＭＩ  ｒｅｐｏｒｔｉｎｇ  ｃｏｎｆｉｇ．）をＵＥ１００−１に送信する。ＵＥ１００−１は、ＢＣ−ＰＭＩ報告設定を受信する。
【０１１３】
ｅＮＢ２００−１は、固定情報に基づいて、ＵＥ１００−１の送信頻度を決定する。具体的には、ｅＮＢ２００−１は、ＵＥ１００−１の送信頻度を、ＵＥ１００−１が固定ＵＥ１００でない場合におけるチャネル状態情報の通常の送信頻度よりも少ない送信頻度に決定する。すなわち、ｅＮＢ２００−１は、１回のみ送信又は送信周期が通常よりも長くなるようにＵＥ１００−１のチャネル状態情報の送信頻度を決定する。その後、ｅＮＢ２００−１は、固定ＵＥ１００へのＢＣ−ＰＭＩ報告設定が、ｅＮＢ２００−１は、ＢＣＰＭＩを１回のみ送信させるＢＣ−ＰＭＩ報告設定又は通常の送信周期よりも長い送信周期をＵＥ１００−１に設定させるＢＣ−ＰＭＩ報告設定をＵＥ１００−１に送信する。
【０１１４】
ｅＮＢ２００−１は、固定情報だけでなく、他の情報に基づいて、固定ＵＥ１００の送信頻度を決定してもよい。
【０１１５】
例えば、ｅＮＢ２００−１は、自セル内における固定ＵＥ１００以外のＵＥ１００の数（すなわち、移動ＵＥ１００の数）に対する自セル内における固定ＵＥ１００の数の比率（固定ＵＥ１００の数／移動ＵＥ１００の数）に基づいて、固定ＵＥ１００の送信頻度を決定してもよい。具体的には、「固定ＵＥ１００の数≦非固定ＵＥ１００の数＋α（所定値）」を満たす場合、ＵＥ１００−１のチャネル状態情報の送信周期を短い送信周期に決定する。一方、「固定ＵＥ１００の数＞非固定ＵＥ１００の数＋α（所定値）」を満たす場合、ＵＥ１００−１のチャネル状態情報の送信周期を長い送信周期に決定する。
【０１１６】
或いは、ｅＮＢ２００−１は、自セルにおけるハンドオーバの数に基づいて、固定ＵＥ１００の送信頻度を決定してもよい。具体的には、「ハンドオーバの数≦β（所定値）」を満たす場合、ＵＥ１００−１のチャネル状態情報の送信周期を長い送信周期に決定する。「ハンドオーバの数＞β（所定値）」を満たす場合、ＵＥ１００−１のチャネル状態情報の送信周期を短い送信周期に決定する。ｅＮＢ２００−１は、これらの決定方法を適宜組み合わせて、ＵＥ１００−１のチャネル状態情報の送信頻度を決定してもよい。
【０１１７】
ステップＳ１０４において、ＵＥ１００−１は、ＢＣ−ＰＭＩ報告設定に従った送信設定に基づいて、ＢＣ−ＰＭＩ（ＢＣ−ＰＭＩ  ｆｅｅｄｂａｃｋ）をｅＮＢ２００−１に送信（フィードバック）する。ｅＮＢ２００−２は、ＢＣ−ＰＭＩを受信する。なお、ＵＥ１００−１は、ＢＣ−ＰＭＩに加えて、他の情報（ＰＭＩ、ＲＩなど）をフィードバックしてもよい。
【０１１８】
ステップＳ１０５において、ｅＮＢ２００−１は、ＵＥ１００−１からのＢＣ−ＰＭＩの受信に応じて、ＵＥ１００−１が固定ＵＥ１００か否かを判定する。ｅＮＢ２００−１は、ＵＥ１００−１が固定ＵＥ１００である場合、ステップＳ１０６の処理を実行する。一方、ｅＮＢ２００−１は、ＵＥ１００−１が固定ＵＥ１００でない場合、ステップＳ１１０の処理を実行する。本実施形態において、ｅＮＢ２００−１は、ステップＳ１０２の固定情報に基づいて、ＵＥ１００−１が固定ＵＥ１００であると判定し、ステップＳ１０６の処理を実行する。
【０１１９】
ステップＳ１０６において、ｅＮＢ２００−１は、固定ＵＥテーブルに、ＵＥ１００−１から受信したＢＣ−ＰＭＩを追加することによって、固定ＵＥテーブルを更新する。
【０１２０】
ステップＳ１０７において、ｅＮＢ２００−１は、更新した固定ＵＥテーブルをｅＮＢ２００−２にＸ２インターフェイスを用いて、転送する。ｅＮＢ２００−２は、固定ＵＥテーブルを受信する。これにより、ｅＮＢ２００−１とｅＮＢ２００−２とは、固定ＵＥテーブルを共用する。なお、ｅＮＢ２００−２は、自身の配下の固定ＵＥ１００に基づく固定ＵＥテーブルをｅＮＢ２００−１に送信してもよい。
【０１２１】
ステップＳ１０８において、ｅＮＢ２００−１は、固定ＵＥテーブルに基づいて、プレスケジューリングを行う。具体的には、ｅＮＢ２００−１は、固定ＵＥ１００であるＵＥ１００−１に無線リソースを割り当てるプレスケジューリングを行う。
【０１２２】
ステップＳ１０９において、ｅＮＢ２００−１は、ＵＥ１００−１のために無線リソースを割り当てたプレスケジューリング情報（Ｐｒｅ−ｓｃｈｅｄｕｌｉｎｇ  ｉｎｆｏｒｍａｔｉｏｎ）をｅＮＢ２００−２に送信する。ｅＮＢ２００−２は、プレスケジューリング情報を受信する。
【０１２３】
ステップＳ１１０において、ｅＮＢ２００−１及びｅＮＢ２００−２のそれぞれは、スケジューリングを行う。ｅＮＢ２００−１は、ｅＮＢ２００−２からステップＳ１０９に対する応答を受信していた場合、当該応答を反映させてｅＮＢ２００−１が管理するセルに対するスケジューリングを行う。例えば、ｅＮＢ２００−１は、ＵＥ１００−１にビームが向くようにスケジューリングを行う。
【０１２４】
一方、ｅＮＢ２００−２は、ステップＳ１０７の固定ＵＥテーブル及びステップＳ１０９のプレスケジューリング情報に基づいて、スケジューリングを行う。具体的には、ｅＮＢ２００−２は、ＵＥ１００−２にビームが向いて、且つ、ＵＥ１００−１にヌルが向くように、スケジューリングを行う。
【０１２５】
ステップＳ１１１において、ｅＮＢ２００−１及びｅＮＢ２００−２のそれぞれは、ステップＳ１１０におけるスケジューリングにより、自身の配下の各ＵＥ１００に割り当てたダウンリンクにおける無線リソース情報（ＤＬ  ｒｅｓｏｕｒｓｅ  ａｌｌｏｃａｔｉｏｎ）を送信する。具体的には、ｅＮＢ２００−１は、ＵＥ１００−１に無線リソース情報を送信し、ｅＮＢ２００−１は、ＵＥ１００−２に無線リソース情報を送信する。ＵＥ１００−１は、ｅＮＢ２００−１から無線リソース情報を受信し、ＵＥ１００−２は、ｅＮＢ２００−２から無線リソース情報を受信する。
【０１２６】
ステップＳ１１２において、ｅＮＢ２００−１及びｅＮＢ２００−２のそれぞれは、各ＵＥ１００に割り当てた無線リソースを用いてデータを転送する。ＵＥ１００−１は、ｅＮＢ２００−１からデータを受信し、ＵＥ１００−２は、ｅＮＢ２００−２からデータを受信する。
【０１２７】
なお、ｅＮＢ２００−２は、ステップＳ１０７の固定ＵＥテーブル及びステップＳ１０９のプレスケジューリング情報に基づいて、スケジューリングを行っているため、ｅＮＢ２００−２からＵＥ１００−２への干渉の影響が小さい。
【０１２８】
なお、ｅＮＢ２００−１は、ＢＣ−ＰＭＩ報告設定を一度送信した固定ＵＥ１００に対しては、再度、ＢＣ−ＰＭＩ報告設定を送信しなくてもよい。そうすれば、ｅＮＢ２００−１は、固定ＵＥ１００に対して、再度、同一のＢＣ−ＰＭＩ報告設定を送信しなくてもよいため、ｅＮＢ２００−１の処理負荷を低減することができる。但し、ｅＮＢ２００−１は、固定ＵＥ１００に対して、前回送信したＢＣ−ＰＭＩ報告設定とは異なる値のＢＣ−ＰＭＩ報告設定（例えば、前回送信したＢＣ−ＰＭＩ報告設定に一定のオフセット値が加えられたＢＣ−ＰＭＩ報告設定）を送信する場合には、当該ＢＣ−ＰＭＩ報告設定を送信してもよい。
【０１２９】
（第１実施形態のまとめ）
本実施形態において、ｅＮＢ２００は、固定情報に基づいて、ＵＥ１００のチャネル状態情報の送信頻度を決定する。また、ｅＮＢ２００は、固定情報に基づいて、ＵＥ１００の送信頻度を、ＵＥ１００が固定ＵＥ１００でない場合におけるチャネル状態情報の送信頻度よりも少ない送信頻度に決定する。固定ＵＥ１００は、移動が制限されているため、チャネル状態の変動が小さい。このため、ｅＮＢ２００は、固定ＵＥ１００のチャネル状態情報の送信回数（フィードバック回数）を少なくすることにより、通信品質を維持しながら、オーバヘッドの増加を抑制できる。
【０１３０】
また、本実施形態において、ｅＮＢ２００は、ｅＮＢ２００が送信頻度を決定する前に、ＵＥ能力問い合わせをＵＥ１００に送信し、固定情報を含むＵＥ能力情報を、ＵＥ１００から受信する。これにより、ｅＮＢ２００は、ＵＥ１００の能力情報とともに固定情報を取得できるため、必要な情報とともに、固定情報を取得するとこができる。
【０１３１】
また、本実施形態において、ｅＮＢ２００は、固定ＵＥ１００の数に対する移動ＵＥ１００の数の比率が（固定ＵＥ１００の数／移動ＵＥ１００の数）が閾値を超えた場合、固定ＵＥ１００の送信頻度を、通常のＵＥ１００の送信頻度よりも少ない送信頻度に決定する。これにより、ｅＮＢ２００が管理するセル内のＵＥ１００は、移動が制限されたＵＥ１００の数の割合が所定値を占めるため、固定ＵＥ１００の周辺のＵＥ１００が活発に移動していないと推定できるため、固定ＵＥ１００のチャネル状態の変動が小さいと判定する。従って、ｅＮＢ２００が固定ＵＥ１００の送信頻度を通常のＵＥ１００の送信頻度よりも少ない送信頻度に決定することにより、通信品質を維持しながら、オーバヘッドの増加を抑制できる。
【０１３２】
また、本実施形態において、ｅＮＢ２００は、自セルにおけるハンドオーバの数が閾値以下である場合、固定ＵＥ１００の送信頻度を、通常のＵＥ１００の送信頻度よりも少ない送信頻度に決定する。自セルにおけるハンドオーバの数が少ないということは、ハンドオーバにより自セルに流入するＵＥ１００及び自セルから流出するＵＥ１００の数が少ないことを示す。従って、移動しているＵＥ１００の数が少ないため、固定ＵＥ１００の周辺のＵＥ１００が活発に移動していないと推定できるため、固定ＵＥ１００のチャネル状態の変動が小さいと判定する。従って、上述の通り、通信品質を維持しながら、オーバヘッドの増加を抑制できる。
【０１３３】
また、本実施形態において、ｅＮＢ２００−１は、チャネル状態情報に基づいて、固定ＵＥテーブルを更新する。これにより、固定ＵＥ１００からのチャネル状態情報の送信回数が減った場合でも、固定ＵＥテーブルに基づいて、スケジューリングが可能であるため、通信品質を維持しながら、オーバヘッドの増加を抑制できる。
【０１３４】
また、本実施形態において、ｅＮＢ２００−１とｅＮＢ２００−２とが協調してＵＥ１００−１との通信を行うＣｏＭＰを行う場合、ｅＮＢ２００−１及びｅＮＢ２００−２のそれぞれは、固定ＵＥテーブルに基づいて、ＣｏＭＰのためのスケジューリングを行う。これにより、固定ＵＥは、移動が制限されているため、自身の移動に伴って、チャネル状態が変動することが少ない。このため、ＣｏＭＰによって、通信品質の向上を図ることができる。
【０１３５】
また、本実施形態において、ｅＮＢ２００−１は、スケジューリング（及びプレスケジューリング）を行う前に、固定ＵＥテーブルをｅＮＢ２００−２に転送する。これにより、ｅＮＢ２００−２は、固定ＵＥテーブルにより固定ＵＥ１００及び固定ＵＥ１００のチャネル状態情報を取得して、スケジューリングすることができるため、ＣｏＭＰをより適切に制御できる。
【０１３６】
［第２実施形態］
以下、第２実施形態について、第１実施形態との相違点を主として説明する。
【０１３７】
上述した第１実施形態では、ｅＮＢ２００が固定情報に基づいて、固定ＵＥ１００の送信頻度を決定していた。本実施形態では、ＵＥ１００が自身の移動状態に応じて、チャネル状態情報の送信頻度を決定する。
【０１３８】
ＵＥ１００は、チャネル状態情報の送信頻度を示す頻度情報をｅＮＢ２００から受信していると仮定して説明する。ＵＥ１００は、頻度情報を含むチャネル状態情報を報告するための報告設定を受信している。
【０１３９】
本実施形態において、ＵＥ１００は、移動状態に応じて、頻度情報で示された送信頻度に反して、異なる送信頻度を設定する。
【０１４０】
具体的には、ＵＥ１００は、自身が静止していると判定した場合、頻度情報で示された送信頻度よりも少ない送信頻度を設定する。ＵＥ１００は、位置又は速度を測定して、移動状態を判定してもよい。或いは、ＵＥ１００は、新たに測定した第１のチャネル品質と、第１のチャネル品質の前に測定した第２のチャネル品質との差が閾値以下である場合（すなわち、チャネル品質の変動が閾値以下である場合）、ＵＥ１００は、自身が静止していると判定する。これにより、ＵＥ１００は、ＵＥ１００の実際の状況に応じて、チャネル状態情報の送信頻度を決定できる。このため、チャネル変動の少ない場合に、チャネル状態情報を送信する回数を減らすことができる。従って、通信品質を維持しながら、オーバヘッドの増加を抑制できる。
【０１４１】
或いは、ＵＥ１００は、所定の範囲の速度で自身が移動していると判定した場合、頻度情報で示された送信頻度よりも多い送信頻度を設定する。これにより、チャネル状態の変動が大きい場合に、チャネル状態情報を送信する回数を増加することができる。なお、所定の範囲の速度とは、チャネル状態の変動が大きい速度が含まれる範囲であり、ＵＥ１００によって送信されたチャネル状態情報が有効に活用できる速度が含まれる範囲である。例えば、所定の範囲の速度とは、低速から中速の範囲の速度である。
【０１４２】
或いは、ＵＥ１００は、ＵＥ１００が所定の範囲の速度を超えた速度で移動していると判定した場合、頻度情報で示された送信頻度よりも少ない送信頻度を設定する。これにより、移動速度が速すぎでチャネル状態情報が有効に活用できない場合、送信頻度を少なくすることによって、オーバヘッドの増加を抑制できる。なお、所定の範囲の速度を超えた速度とは、チャネル状態の変動に関係なく、ＵＥ１００によって送信されたチャネル状態情報が有効に活用できない速度である。例えば、所定の範囲の速度を超えた速度とは、高速の速度である。
【０１４３】
また、ＵＥ１００は、頻度情報で示された送信頻度に反して、移動状態に基づいて決定した送信頻度を設定した場合、頻度情報で示された送信頻度に反して決定した送信頻度を設定した理由をｅＮＢ２００（セル）に送信してもよい。これにより、ｅＮＢ２００は、ＵＥ１００が頻度情報の適切に受信できなかったのではなく、ＵＥ１００の判断により、送信頻度を変更したことが分かる。
【０１４４】
なお、ＵＥ１００は、頻度情報で示された送信頻度に反して、送信頻度を設定した場合に、設定理由をｅＮＢ２００に送信してもよいし、送信頻度を設定した後にチャネル状態情報を送信する場合に、チャネル状態情報とともに、設定理由を送信してもよい。また、設定理由だけでなく、ＵＥ１００により設定された送信頻度を示す情報を送信してもよい。
【０１４５】
また、ＵＥ１００は、ＵＥ１００が静止していると判定した場合、チャネル情報とともに、上述の設定理由として、ＵＥ１００の移動が制限された固定ＵＥ１００であることを示す固定情報をｅＮＢ２００（セル）に送信してもよい。
【０１４６】
また、ＵＥ１００は、ＵＥ１００が、所定の範囲の速度又は所定の範囲の速度を超えた速度で移動していると判定した場合、ＵＥ能力情報、チャネル状態情報、及び、頻度情報を含む設定情報（Ｃｏｎｆｉｇ．）への応答、の少なくともいずれかとともに、上述の設定理由として、ＵＥ１００が所定の範囲の速度又は所定の範囲の速度を超えた速度で移動していることを示す情報を送信してもよい。
【０１４７】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４８】
上述した第１実施形態では、ＣＢ−ＣｏＭＰを例に説明したが、ＣＢ−ＣｏＭＰに限らず、本発明は、他のＣｏＭＰ（例えば、ＣＳ−ＣｏＭＰ、ＤＰＳ−ＣｏＭＰ、ＪＴ−ＣｏＭＰなど）に適用可能であり、ＭＵ（Ｍｕｌｔｉ  Ｕｓｅｒ）−ＭＩＭＯ（Ｍｕｌｔｉｐｌｅ  Ｉｎｐｕｔ  Ｍｕｌｔｉｐｌｅ  Ｏｕｔｐｕｔ）にも適用可能である。また、本発明は、通常の送信にも適用可能である。この場合、ｅＮＢ２００は、例えば、ＣＱＩ、ＰＭＩ及びＲＩの少なくともいずれかに関する固定ＵＥテーブルを記憶しており、固定情報に基づいて、ＣＱＩ、ＰＭＩ及びＲＩの少なくともいずれかに関するチャネル状態情報の送信頻度を決定する。
【０１４９】
また、ｅＮＢ２００は、複数のアンテナ素子を有する場合、キャリブレーションの相手として、固定ＵＥ１００を選択することができる。ここで、キャリブレーションとは、ｅＮＢ２００は、複数のアンテナ間における振幅及び位相シフトのばらつきを補正することである。なお、ｅＮＢ２００は、精度の高いキャリブレーションを行うために、固定ＵＥ１００として、実際に位置が固定されているＵＥ１００であることが好ましい。
【０１５０】
ｅＮＢ２００は、キャリブレーションのための固定ＵＥ１００を選択した場合、選択した固定ＵＥ１００に対して、キャリブレーション用の測定報告設定（ｍｅａｓｕｒｅｍｅｎｔ  ｒｅｐｏｒｔ  ｃｏｎｆｉｇ．）を送信する。固定ＵＥ１００は、測定報告設定を受信する。固定ＵＥ１００は、測定報告設定に基づいて、キャリブレーション用の参照信号を受信するための設定を行う。
【０１５１】
次に、ｅＮＢ２００は、測定報告設定に基づいて、キャリブレーション用の参照信号（或いは、通常の参照信号）を送信する。固定ＵＥ１００は、参照信号を受信し、キャリブレーションのために参照信号の測定を行う。固定ＵＥ１００は、キャリブレーション用の参照信号の測定結果をｅＮＢ２００に報告する。
【０１５２】
ｅＮＢ２００は、当該測定結果に基づいて、キャリブレーションを行う。具体的には、ｅＮＢ２００は、複数のアンテナ間における振幅及び位相シフトのばらつきを補正するための補正値を算出する。ｅＮＢ２００は、補正値を考慮して、アダプティブアレイシステムにおけるアダプティブアレイ処理を行う。
【０１５３】
上述した第１実施形態では、チャネル状態情報として、ＢＣ−ＰＭＩを中心に説明したがこれに限られない。チャネル状態情報は、ＣＱＩ、ＰＭＩ、ＲＩ、ＢＣ−ＰＭＩ、及び、ＷＣ−ＰＭＩの少なくともいずれかを示す情報を含めばよい。なお、ＷＣ−ＰＭＩは、ＢＣ−ＰＭＩと同様に、特殊なＰＭＩである。具体的には、ＷＣ−ＰＭＩは、ＵＥ１００−１に与える干渉の影響が大きいプリコーダ行列（ＵＥ１００−１にビームが向くプリコーダ行列）を示す情報である。言い換えると、ＷＣ−ＰＭＩは、ＵＥ１００−１にとって好ましくないプリコーダ行列を示す情報である。
【０１５４】
また、上述した第１実施形態では、ｅＮＢ２００は、固定情報をＵＥ能力情報とともに受信していたが、これに限られない。ＵＥ１００は、チャネル状態情報とともに、固定情報を送信してもよい。ｅＮＢ２００は、チャネル状態情報とともに、固定情報を受信してもよい。これにより、ｅＮＢ２００は、固定情報を含むＵＥ能力情報の問い合わせを受信していない場合であっても、固定情報を受信できるため、オーバヘッドの増加を抑制できる。
【０１５５】
また、上述した第１実施形態では、ＵＥ１００は、ＵＥ能力問い合わせに応じて固定情報を含むＵＥ能力情報を送信していたが、これに限られない。ＵＥ１００は、ｅＮＢ２００からの問い合わせなく、固定情報を含むＵＥ能力情報をｅＮＢ２００に送信してもよい。例えば、ＵＥ１００は、ｅＮＢ２００とのＲＲＣ接続の確立（（ＲＲＣ  Ｃｏｎｎｅｃｔｉｏｎ  Ｅｓｔａｂｌｉｓｈｍｅｎｔ）が行われる際に、固定情報を含むＵＥ能力情報をｅＮＢ２００に送信してもよい。
【０１５６】
また、上述した第１実施形態において、ｅＮＢ２００は、チャネル状態情報に応じて、固定ＵＥ１００のチャネル状態情報の送信頻度を変更することができる。例えば、ｅＮＢ２００は、固定ＵＥ１００から、新たに受信したチャネル状態情報とその前に受信したチャネル状態情報との差に応じて、チャネル状態情報の送信頻度を変更してもよい。具体的には、ｅＮＢ２００は、新たに受信した固定ＵＥ１００からのチャネル状態情報によって得られた値（例えば、ＣＱＩ値）と、前回受信した固定ＵＥ１００からのチャネル状態情報によって得られた値との差が、閾値未満であった場合、固定ＵＥ１００のチャネル状態情報の送信頻度をさらに小さい送信頻度に変更（決定）してもよい。また、ｅＮＢ２００は、同様に、例えば、新たに受信したＣＱＩ値と、前回受信したＣＱＩ値との差が、閾値以上であった場合、固定ＵＥ１００のチャネル状態情報の送信頻度を大きい送信頻度に変更（決定）してもよい。
【０１５７】
また、上述した第１実施形態（図１０におけるステップＳ１０７）において、ｅＮＢ２００−１は、更新した固定ＵＥテーブルをｅＮＢ２００−２に転送していたが、これに限られない。例えば、ｅＮＢ２００−１は、固定ＵＥテーブルの更新の前後、において、固定ＵＥテーブルの変更部分が一定の範囲である場合、固定ＵＥテーブルの転送を中止してもよい。固定ＵＥテーブルの変更部分が一定の範囲である場合とは、例えば、固定ＵＥテーブルに記録された固定ＵＥ１００の数に対する情報が更新された固定ＵＥ１００の数の割合（情報が更新された固定ＵＥ１００の数／全固定ＵＥ１００の数）が閾値未満である場合、情報が更新された固定ＵＥ１００の数が閾値未満である場合などが挙げられる。なお、ｅＮＢ２００−１は、固定ＵＥテーブルの更新の前後ではなく、ｅＮＢ２００−２に送信した固定ＵＥテーブルとｅＮＢ２００−１の最新の固定ＵＥテーブルとの差に基づいて、テーブルの転送を中止するか否かを判定してもよい。
【０１５８】
また、上述した第１実施形態（図１０におけるステップＳ１０８からＳ１０９）において、ｅＮＢ２００−１が、プレスケジューリングを行った後に、プレスケジューリング情報をｅＮＢ２００−２に送信していたがこれに限られない。ｅＮＢ２００−２が、ｅＮＢ２００−１から受信した固定ＵＥテーブル（及びｅＮＢ２００−２自身の固定ＵＥテーブル）に基づいて、プレスケジューリングを行った後に、プレスケジューリング情報をｅＮＢ２００−１に送信してもよい。ｅＮＢ２００−１は、ｅＮＢ２００−２からのプレスケジューリング情報に基づいて、スケジューリングを行う。或いは、ｅＮＢ２００−２は、ｅＮＢ２００−１からのプレスケジューリング情報を受信した後に、スケジューリング（又はプレスケジューリング）を行い、そのスケジューリング（又はプレスケジューリング）の結果であるスケジューリング情報（又はプレスケジューリング情報）をｅＮＢ２００−１に送信してもよい。この場合、ｅＮＢ２００−１は、ｅＮＢ２００−１からのプレスケジューリング情報が考慮されたｅＮＢ２００−２からのスケジューリング情報（又はプレスケジューリング情報）に基づいて、スケジューリングを行う。
【０１５９】
また、上述した第１実施形態、第２実施形態及びその他実施形態は、適宜組み合わせて実行されることが可能である。例えば、第２実施形態に係るＵＥ１００は、ＵＥ１００の移動状態に応じて、第１実施形態に係るｅＮＢ２００からの頻度情報で示された送信頻度に反して、異なる送信頻度を設定してもよい。また、第１実施形態に係るｅＮＢ２００は、固定情報に基づくだけでなく、第２実施形態に係るＵＥ１００からの設定理由（及び／又はＵＥ１００により設定された送信頻度）に基づいて、ＵＥ１００の送信頻度を新たに決定したり、ＵＥ１００の送信頻度の情報を管理したりしてもよい。
【０１６０】
また、上述した第１実施形態では、ｅＮＢ２００が、送信頻度を決定していたが、これに限られない。ｅＮＢ２００ではなく、コアネットワークを構成する装置（例えば、ＭＭＥ、ＯＡＭなど）であってもよいし、管理サーバであってもよい。
【０１６１】
また、上述した実施形態では、本発明をＬＴＥシステムに適用する一例を説明したが、ＬＴＥシステムに限定されるものではなく、ＬＴＥシステム以外のシステムに本発明を適用してもよい。
【０１６２】
なお、日本国特許出願第２０１３−１９９８８４号（２０１３年９月２６日出願）の全内容が、参照により、本願明細書に組み込まれている。
【産業上の利用可能性】
【０１６３】
以上のように、本発明に係るネットワーク装置及びユーザ端末は、ユーザ端末からのチャネル状態情報の送信に基づくオーバヘッドを削減可能であるため、移動通信分野において有用である。
【図１】
2015046266.tif 000003
【図２】
2015046266.tif 000004
【図３】
2015046266.tif 000005
【図４】
2015046266.tif 000006
【図５】
2015046266.tif 000007
【図６】
2015046266.tif 000008
【図７】
2015046266.tif 000009
【図８】
2015046266.tif 000010
【図９】
2015046266.tif 000011
【図１０】
2015046266.tif 000012
【国際調査報告】
2015046266.tif 000013
2015046266.tif 000014
2015046266.tif 000015
2015046266.tif 000016